(57)【特許請求の範囲】
【請求項１】
白黒原稿データ及びカラー原稿データの送信機能を備えたファクシミリ装置であって、
カラー原稿データを含む画像データを送信するに先立ち、相手側ファクシミリ装置からの所定の信号に基づいて、当該相手側ファクシミリ装置がカラー原稿データの受信能力を有するか否かを判断する判断手段と、
相手側ファクシミリ装置がカラー原稿データの受信能力を有しないと判断された場合、当該相手側ファクシミリ装置への画像データの送信を中止する中止手段と、
原稿の読み取り時にカラー原稿データを含む画像データが得られた場合、前記カラー原稿データに対応する白黒原稿データを作成する白黒データ作成手段と、
作成された白黒原稿データを含む画像データを保存する白黒データ保存手段と、
前記中止手段により送信が中止された場合に、ユーザ操作により又は自動的に、保存された白黒原稿データを含む画像データを、前記相手側ファクシミリ装置へ送信する白黒送信手段と、
を有するファクシミリ装置。
【請求項２】
前記中止手段により送信が中止された場合に、白黒原稿データによる再送信操作をユーザに指示する操作指示手段をさらに有する請求項１記載のファクシミリ装置。
【請求項３】
前記中止手段により送信が中止された場合に、ユーザ操作により又は自動的に、前記画像データに含まれたカラー原稿データを白黒原稿データに変換する白黒変換手段と、
変換後の白黒原稿データを含む画像データを、前記相手側ファクシミリ装置へ送信する変換後送信手段と、
をさらに有する請求項１記載のファクシミリ装置。
【請求項４】
相手側ファクシミリ装置がカラー原稿データの受信能力を有すると判断された場合、画像データの送信に先立ち、原稿総枚数に応じた基本料金に、カラー原稿枚数に応じたカラー追加料金を加算した利用料金を提示する料金提示手段、をさらに有する請求項１乃至請求項３の何れか１項に記載のファクシミリ装置。
【請求項５】
画像データの送信に先立ち、原稿総枚数に応じた基本料金に、カラー原稿枚数に応じたカラー追加料金を加算した利用料金を徴収する料金徴収手段と、
相手側ファクシミリ装置がカラー原稿データの受信能力を有しないと判断された場合、前記加算したカラー追加料金を返却する料金返却手段と、
をさらに有する請求項１乃至請求項３の何れか１項に記載のファクシミリ装置。
【発明の詳細な説明】
【０００１】
【発明の属する技術分野】
本発明は、白黒原稿データ及びカラー原稿データの送信機能を備えたファクシミリ装置に関する。
【０００２】
【従来の技術】
近年、ファクシミリ装置として、カラー原稿の通信機能（以下、カラー機能という。）を備えたものが普及しつつある。ところが、ファクシミリ通信では、カラー機能を用いてカラー原稿データを送信しても、受信側のファクシミリ装置がカラー機能を備えていないと、受信側のユーザはカラー原稿を受け取ることができず、カラー機能で送信した意味がない。
【０００３】
一方、最近、コンビニエンスストア等では店内にファクシミリ装置を設置し、ファクシミリ利用サービスを行っているものが増えている。このようなコンビニエンスストア等のファクシミリ装置では、送信するユーザが、その送信原稿がカラーか白黒かに応じてカラー送信か白黒送信かを選択し、選択した方法により定まるファクシミリ利用料金を支払っているのが現状である。
【０００４】
【発明が解決しようとする課題】
しかしながら、上記のように、ユーザがカラー送信の料金を支払ってカラー送信をしても、受信側にカラー機能がないため、実質的にカラー送信した意味がなくなっており、当該ユーザに無駄な費用を負わせるといった不都合があった。
【０００５】
また、特開平１１−１３４０５８号公報には、ファクシミリ送信の原稿読みとり時に、各原稿の画像データよりデータ種別（例えば白黒かカラーか）を判別し、そのデータ種別及び処理内容に応じて詳細に定めた課金体系に基づき課金する方法が記載されているが、この課金方法は非常に複雑でユーザにわかりにくいという問題点があった。
【０００６】
本発明は、上記課題を解決するために成されたものであり、相手側の機能を確認した上で適切な送信動作を行うファクシミリ装置を提供することを目的とする。
【０００７】
【課題を解決するための手段】
上記目的を達成するために、本発明に係るファクシミリ装置は、白黒原稿データ及びカラー原稿データの送信機能を備えたファクシミリ装置であって、カラー原稿データを含む画像データを送信するに先立ち、相手側ファクシミリ装置からの所定の信号に基づいて、当該相手側ファクシミリ装置がカラー原稿データの受信能力を有するか否かを判断する判断手段と、相手側ファクシミリ装置がカラー原稿データの受信能力を有しないと判断された場合、当該相手側ファクシミリ装置への画像データの送信を中止する中止手段と、原稿の読み取り時にカラー原稿データを含む画像データが得られた場合、前記カラー原稿データに対応する白黒原稿データを作成する白黒データ作成手段と、作成された白黒原稿データを含む画像データを保存する白黒データ保存手段と、前記中止手段により送信が中止された場合に、ユーザ操作により又は自動的に、保存された白黒原稿データを含む画像データを、前記相手側ファクシミリ装置へ送信する白黒送信手段と、を有することを特徴とする。
【０００８】
この本発明に係るファクシミリ装置は、白黒原稿データ及びカラー原稿データの送信機能を備えたファクシミリ装置であり、判断手段が、カラー原稿データを含む画像データを送信するに先立ち、相手側ファクシミリ装置からの所定の信号、例えば、デジタル識別信号（ＤＩＳ信号）に含まれた受信機能情報より、当該相手側ファクシミリ装置がカラー原稿データの受信能力を有するか否かを判断する。ここで、相手側ファクシミリ装置がカラー原稿データの受信能力を有しないと判断されると、中止手段は、当該相手側ファクシミリ装置への画像データの送信を中止する。これにより、相手側ファクシミリ装置がカラー原稿データの受信能力を有しないにもかかわらず、当該相手側ファクシミリ装置へカラー原稿データが送信されてしまうことを防止することができる。また、本発明に係るファクシミリ装置は、上記に加え、原稿の読み取り時にカラー原稿データを含む画像データが得られた場合、カラー原稿データに対応する白黒原稿データを作成する白黒データ作成手段と、作成された白黒原稿データを含む画像データを保存する白黒データ保存手段と、中止手段により送信が中止された場合に、ユーザ操作により又は自動的に、保存された白黒原稿データを含む画像データを、相手側ファクシミリ装置へ送信する白黒送信手段とを有するので、原稿の読み取り時にカラー原稿データを含む画像データが得られた場合、白黒データ作成手段が、カラー原稿データに対応する白黒原稿データを作成し、白黒データ保存手段が、この作成された白黒原稿データを含む画像データを保存しておく。このため、送信時に中止手段により送信が中止された場合に、カラー原稿データから白黒原稿データへの変換処理が不要となるので、白黒送信手段はユーザ操作により又は自動的に、保存された白黒原稿データを含む画像データを相手側ファクシミリ装置へ速やかに送信することができる。
【０００９】
なお、カラー原稿データを含む画像データは、その全てがカラー原稿データである場合と、その一部にカラー原稿データを含む白黒・カラー混在のデータである場合（例えば、白黒ページとカラーページとが混在した複数枚の原稿データである場合）の両方を含む。
【００１０】
また、本発明に係るファクシミリ装置には、中止手段により送信が中止された場合に、白黒原稿データによる再送信操作をユーザに指示する操作指示手段をさらに設けることが望ましい。この場合、送信が中止された場合に、操作指示手段が白黒原稿データによる再送信操作を指示するので、送信側ユーザは、相手側ファクシミリ装置がカラー原稿データの受信能力を有しないため送信が中止されたことを認識でき、白黒原稿データによる再送信操作をするか、又はカラー機能を有する他のファクシミリ装置あてにカラー原稿を送信し直す等の対応を適宜に行うことができる。
【００１１】
また、本発明に係るファクシミリ装置には、中止手段により送信が中止された場合に、ユーザ操作により又は自動的に、画像データに含まれたカラー原稿データを白黒原稿データに変換する白黒変換手段と、変換後の白黒原稿データを含む画像データを相手側ファクシミリ装置へ送信する変換後送信手段とをさらに設けることが望ましい。この場合、送信が中止された場合に、白黒変換手段は、ユーザ操作により又は自動的に、画像データに含まれたカラー原稿データを白黒原稿データに変換し、変換後送信手段が、変換後の白黒原稿データを含む画像データを相手側ファクシミリ装置へ送信する。これにより、ユーザは、白黒原稿を読み取らせる等の再送信操作をする必要がないので、簡易に白黒原稿データによる再送信を行うことができる。
【００１３】
また、本発明に係るファクシミリ装置には、相手側ファクシミリ装置がカラー原稿データの受信能力を有すると判断された場合、画像データの送信に先立ち、原稿総枚数に応じた基本料金に、カラー原稿枚数に応じたカラー追加料金を加算した利用料金を提示する料金提示手段をさらに設けることが望ましい。この場合、相手側ファクシミリ装置がカラー原稿データの受信能力を有すると判断されると、料金提示手段は、画像データの送信に先立ち、原稿総枚数に応じた基本料金に、カラー原稿枚数に応じたカラー追加料金を加算した利用料金を提示する。これにより、ユーザは、送信前に、相手側ファクシミリ装置がカラー原稿データの受信能力を有することを確認した上で、わかり易い料金体系の下で利用料金を認識することができる。
【００１４】
また、本発明に係るファクシミリ装置には、画像データの送信に先立ち、原稿総枚数に応じた基本料金に、カラー原稿枚数に応じたカラー追加料金を加算した利用料金を徴収する料金徴収手段と、相手側ファクシミリ装置がカラー原稿データの受信能力を有しないと判断された場合、加算したカラー追加料金を返却する料金返却手段とをさらに設けることが望ましい。この場合、まず、料金徴収手段が画像データの送信に先立ち、原稿総枚数に応じた基本料金に、カラー原稿枚数に応じたカラー追加料金を加算した利用料金を徴収する。ところが、判断手段により、相手側ファクシミリ装置がカラー原稿データの受信能力を有しないと判断されると、料金返却手段が上記加算したカラー追加料金を返却する。これにより、相手側ファクシミリ装置がカラー原稿データの受信能力を有さず実質的にカラー送信が意味をなさない場合にカラー追加料金を徴収するといった不都合を回避でき、利用料金の適正化を図ることができる。
【００１５】
【発明の実施の形態】
以下、図面を参照して本発明の実施の形態を詳細に説明する。なお、図面の説明において同一の要素には同一の符号を付し、重複する説明を省略する。
【００１６】
（第１実施形態）
先ず、本発明に係る第１実施形態について説明する。図１は、第１実施形態に係るファクシミリ装置１０の機能ブロック図である。この図１に示すファクシミリ装置１０は、装置各部の動作を制御する主制御部１６と、モデムを搭載しＧ３ファクシミリ通信プロトコルに基づく通信制御を行う通信制御部１４と、網制御装置（ＮＣＵ）等で構成され、通信回線２６を介して外部とのデータの送受信を行う回線制御部１２と、送信する原稿をデジタル的に読み取るスキャナ１８と、スキャナ１８から入力された画像データ及び回線制御部１２を介して外部から受信した画像データ等を記憶するメモリ２８と、受信した画像データの印刷等を行うプリンタ２０と、カラー／白黒の種別や画像解像度（標準／高解像度／超高解像度）のレベル等の設定及びファクシミリ送信開始指示等の操作を行うための操作パネル、並びに操作指示メッセージ等を表示する表示パネルから成るコントロールパネル部２２と、ファクシミリ装置１０のユーザへの課金に関する後述の処理を行う課金部２４とを含んで構成されており、これらは図示しないシステムバスを介して互いに接続されている。
【００１７】
このうち回線制御部１２は、着呼時の呼出し信号を検出する呼出し信号検出部１２Ａを含んでおり、課金部２４は、ユーザに課する利用料金を算出する料金算出部２４Ａと、料金算出部２４Ａにて算出された利用料金等の課金情報を表示する課金情報表示部２４Ｂと、ユーザからの入金確認や釣銭の出金を行う入出金部２４Ｃと、入金された硬貨及び釣銭用硬貨を蓄積する硬貨蓄積部２４Ｄとを含んで構成されている。
【００１８】
また、スキャナ１８はカラー原稿の読みとり機能を備え、プリンタ２０はカラープリント機能を備えている。また、通信制御部１４及び回線制御部１４もカラー画像データを送受信する機能を備えている。
【００１９】
次に、第１実施形態の作用として、図２〜図４を用いて、カラー原稿のファクシミリ送受信制御に係る処理を説明する。
【００２０】
最初に送信側の処理を説明する。送信側ユーザが所定位置にカラー原稿を含む送信原稿をセットし、コントロールパネル部２２から送信先の指定及びカラー送信設定やその他の所望の設定をした後、開始ボタンを操作すると、図２の送信側処理が送信側ファクシミリ装置１０において実行開始される。図２のステップ１０２では、スキャナ１８により送信原稿を１枚ずつ読み取り、次のステップ１０４では図３の料金徴収処理のサブルーチンを実行する。
【００２１】
図３の料金徴収処理では、ステップ１５２で、カラー・白黒ともに含む原稿総枚数に基本単価（例えば１０円／枚）を乗算することで基本料金を算出するとともに、カラー原稿枚数にカラー追加分単価（例えば４０円／枚）を乗算することでカラー追加料金を算出する。次のステップ１５４では、ステップ１５２で求めた基本料金とカラー追加料金とを合計することで利用料金を算出し、次のステップ１５６ではこの利用料金を課金情報表示部２４Ｂに表示してユーザに料金の支払いを促す。そして、次のステップ１５８ではユーザからの料金支払い待ちに入り、支払いが完了した時点で図３のサブルーチンから図２の主ルーチンへリターンする。
【００２２】
図３のサブルーチンからリターンすると、図２のステップ１０６では、指定された送信先へ発呼し、次のステップ１０８では、例えばＧ３ファクシミリ通信プロトコルにおける受信側との通信確立の過程で、受信側から受信したデジタル識別信号（ＤＩＳ信号）のファクシミリ情報フィールド（図８のフィールド９２）に示された受信側の能力情報を入手する。
【００２３】
なお、図８は、ファクシミリ通信のバイナリ手順にて使用される各種信号のフレーム構成を示しており、ファクシミリコントロールフィールド９０は当該信号の種類（例えば、当該信号がＤＩＳ信号であること）を表し、ファクシミリ情報フィールド９２は受信側ファクシミリ装置の受信機能を表している。
【００２４】
次のステップ１１０では、受信側の能力情報を参照して受信側がカラー原稿データを受信可能であるか否かを判断する。受信側がカラー原稿データを受信可能であれば、ステップ１１２へ進み、カラー原稿データを含む送信データを受信側へ送信し、送信が完了した（ステップ１１４で肯定判定された）時点で処理を終了する。
【００２５】
一方、ステップ１１０で受信側がカラー原稿データを受信可能でなければ、ステップ１１６へ進み、送信データをカラー原稿データから白黒原稿データへ変換するか送信中止するかの選択をさせるメッセージをコントロールパネル部２２に表示する。
【００２６】
このメッセージを見たユーザは、白黒原稿データへの変換か送信中止かをコントロールパネル部２２上で選択する。ステップ１１８では選択結果が白黒原稿データへの変換か否かを判断し、選択結果が白黒原稿データへの変換であれば、ステップ１２０へ進み、送信データをカラー原稿データから白黒原稿データへ変換する画像処理を行う。そして、ステップ１２２で変換後の白黒原稿データを含む送信データを受信側へ送信し、送信が完了したら（ステップ１２４で肯定判定されたら）、ステップ１２６へ進む。このステップ１２６では、ステップ１０４の料金徴収処理で徴収したカラー追加料金を入出金部２４Ｃからユーザに返却して、処理を終了する。なお、ステップ１１８で選択結果が送信中止であれば、送信データを送信することなく、ステップ１２６へジャンプし、ステップ１０４の料金徴収処理で徴収した利用料金を入出金部２４Ｃからユーザに返却して、処理を終了する。
【００２７】
次に、図４を用いて、受信側ファクシミリ装置の処理を説明する。受信側では、着呼が呼出し信号検出部１２Ａにより検出されると、図４の処理が実行開始される。まず、ステップ２０２では、例えばＧ３ファクシミリ通信プロトコルにおける送信側との通信確立の過程で、自機の受信能力情報を含むＤＩＳ信号を送信し、次のステップ２０４では、送信側から通信を中止する旨の通知があるか否かを判定する。送信側から通信を中止する旨の通知があれば、そのまま処理を終了する。一方、中止する旨の通知がなく送信データが送られてきたら、ステップ２０６でそのデータを受信する。受信が完了したら（ステップ２０８で肯定判定されたら）、ステップ２１０へ進み、前述した図３の料金徴収処理を実行する。
【００２８】
この処理内容は上記と同様なので、重複説明は省くが、図３のステップ１５２では、基本料金単価及びカラー追加料金単価はともに、コピー時と同様の単価を用いる。即ち、受信側では、送信側よりも単価が安く設定されている。これは、送信側はファクシミリ装置自体の利用量以外に通信料金も徴収する必要があるのに対し、受信側では、通信料金を負担せず、コピーと同様に印刷出力に要する用紙やトナー代を負担すればよいからである。
【００２９】
このように受信側と送信側とで料金体系を変え、受信側ではコピーの場合と同様の料金体系を採用することにより、より実際の処理に即した体系とすることができ、ユーザにも公平感を与えることができる。
【００３０】
そして、図３の料金徴収処理の実行後はステップ２１２で印刷出力して処理を終了する。
【００３１】
以上のような本実施形態の送受信処理によれば、受信側がカラー受信能力を有することを確認できた場合にのみ、カラー原稿データの送信を行うので、受信側がカラー原稿データの受信能力を有しないにもかかわらず、当該受信側へカラー原稿データが送信されてしまうことを防止することができる。
【００３２】
また、受信側がカラー受信能力を有しない場合には、ユーザが白黒変換させるか送信中止するかを選択できるので、ユーザとしては原稿の再セット等をせずに同じ相手先へ白黒原稿データを送信することもできるし、当該送信は中止してカラー受信機能を有する他のファクシミリ装置あてにカラー原稿データを送信し直すこともできる。即ち、ユーザ対応の柔軟性・自由度が向上する。
【００３３】
また、上記では、画像データの送信前に、原稿総枚数に応じた基本料金に、カラー原稿枚数に応じたカラー追加料金とを加算した利用料金を徴収するが、受信側がカラー原稿データの受信能力を有しないと判断されると、カラー追加料金を返却するので、受信側がカラー原稿データの受信能力を有さず実質的にカラー送信が意味をなさない場合にカラー追加料金を徴収するといった不都合を回避でき、利用料金の適正化を図ることができる。
【００３４】
なお、ユーザによる選択を待たずに自動的に白黒原稿データへの変換を行うように事前設定しておいて、その設定に従い白黒原稿データへの自動変換をさせるようにしてもよい。
【００３５】
また、図３の料金徴収処理は、受信側がカラー原稿データの受信能力を有することが確認できた後に実行してもよい。この場合、ユーザは、送信前に、相手側ファクシミリ装置がカラー原稿データの受信能力を有することを確認した上で、わかり易い料金体系の下で利用料金を認識することができる。
【００３６】
また、原稿の読み取り時にカラー原稿データを含む画像データが得られた場合に、予め当該カラー原稿データに対応する白黒原稿データを作成し保存してもよい。この場合、送信の際、相手側ファクシミリ装置がカラー原稿受信機能を有しない等により、カラー原稿データの送信が中止されたときに、カラー原稿データから白黒原稿データへの変換処理が不要となるので、ユーザ操作により又は自動的に、保存された白黒原稿データを含む画像データを、相手側ファクシミリ装置へ速やかに送信することができる。
【００３７】
（第２実施形態）
次に、第２実施形態について説明する。この第２実施形態では、読みとった原稿をファクシミリ送信する機能の他に電子メールにより送信する機能も兼ね備えたファクシミリ装置における課金処理について説明する。
【００３８】
図５は、第２実施形態に係るファクシミリ装置３０を含むネットワークシステム全体の概略構成図である。この図５に示すファクシミリ装置３０は、第１実施形態のファクシミリ装置１０と同様の構成を有しファクシミリ送受信を行うファクシミリ通信部３０Ｂと、パーソナルコンピュータと同様の構成を有し電子メールの送受信を行う電子メール通信部３０Ａとを含んで構成されている。
【００３９】
ファクシミリ通信部３０Ｂは、通信回線４０（例えば、公衆電話回線等）を介して外部のファクシミリ装置４２とファクシミリ通信を実行することができる。また、電子メール通信部３０Ａは、ネットワークサーバ３４の管理下にあるローカルエリアネットワーク（ＬＡＮ）３２に接続され、このＬＡＮ３２、ネットワークサーバ３４及びインターネット網３６を介して所望のメールアドレスのパーソナルコンピュータ３８に電子メール送信を実行することができる。
【００４０】
次に、第２実施形態の作用として、図６を用いて、一度にファクシミリ送信と電子メール送信を同時に実行する場合の課金処理を説明する。
【００４１】
ユーザが送信原稿を所定位置にセットし相手先としてファクシミリ装置４２とパーソナルコンピュータ３８の両方を指定して開始ボタンを操作すると、図６の処理が実行開始される。図６のステップ１７２では、スキャナにより送信原稿を１枚ずつ読み取り、次のステップ１７４では、ファクシミリ送信で送信される原稿枚数と電子メールで送信される原稿枚数との和（送信される原稿の総のべ枚数）に基本単価（例えば１０円／枚）を乗算することで基本料金を算出するとともに、電子メールで送信される原稿枚数に電子メール追加分単価（例えば４０円／枚）を乗算することで電子メール用追加料金を算出する。
【００４２】
次のステップ１７６では、ステップ１７４で求めた基本料金と電子メール用追加料金とを合計することで利用料金を算出し、次のステップ１７８ではこの利用料金を課金情報表示部２４Ｂ（図１参照）に表示してユーザに料金の支払いを促す。そして、次のステップ１８０ではユーザからの料金支払い待ちに入り、支払いが完了した時点でステップ１８２へ進み、ファクシミリ装置４２とパーソナルコンピュータ３８とを宛先とした同報送信を行い、送信後に処理を終了する。
【００４３】
以上の第２実施形態では、ファクシミリ送信と電子メール送信とが混在した同報送信の場合に、送信される原稿の総のべ枚数に応じた基本料金に、電子メール送信枚数に応じた電子メール用追加料金を加算することで得られた利用料金を徴収するので、わかりやすい料金体系の下で適切な課金を行うことができる。
【００４４】
なお、上記のような基本料金に追加機能利用の追加料金を加算することで利用料金を算出する方法は、ファクシミリ送信時に送信される画像データに図７のようなテンプレート５０を利用する場合にも適用可能である。例えば、夏の暑い時期にファクシミリ送信をするときに、図７のように「暑中お伺い申し上げます」という文言やスイカの絵が入ったテンプレート５０を用いれば、挿入エリア５０Ａに送信原稿の内容が挿入された画像イメージの送信画像データが生成され、ファクシミリ送信される。
【００４５】
この場合も、送信される原稿の総枚数に応じた基本料金に、テンプレートを使用した枚数分に応じたテンプレート追加料金を加算することで得られた利用料金を徴収するので、わかりやすい料金体系の下で適切な課金を行うことができる。
【００４６】
ところで、前述した第１実施形態では、カラー原稿と白黒原稿とが混在するケースを想定して説明したが、実際にはカラー原稿だけ又は白黒原稿だけといったケースが多い。そこで、よりユーザにわかり易い以下のような料金体系を採用してもよい。
【００４７】
▲１▼通信情報量（枚数）や通信時間に依存せずに、前述の基本料金に、予め定めた一定額のカラー追加料金を加算する料金体系を採用してもよい。これは、料金体系が単純化されており、ユーザにわかり易いという利点がある。
【００４８】
▲２▼前述の基本料金に、全送信枚数に応じた追加料金を加算する料金体系（即ち、基本料金＋（予め定めた一定額の枚数単価×全送信枚数））を採用してもよい。これは、上記▲１▼の方式での、送信枚数が少ないユーザの不公平感を解消できるという利点がある。
【００４９】
▲３▼前述の基本料金に、送信時間に応じた追加料金を加算する料金体系（即ち、基本料金＋（予め定めた一定額の時間単価×送信時間））を採用してもよい。例えば、１５秒毎に定額料金を加算するものである。これは、通信コストに応じた料金を回収できるという利点がある。
【００５０】
もちろん、上記▲１▼〜▲３▼の料金体系は、第２実施形態での電子メール用追加料金の課金にも採用することができ、同様の効果を得ることができる。
【００５１】
なお、本発明は、ファクシミリ送受信の機能のみを有する通常のファクシミリ装置にのみ適用されるものではなく、ファクシミリ送受信の機能を有するあらゆる装置、例えば、ファクシミリ機能付きの複合機、家庭電化製品、その他の電気機器等にも適用できることは言うまでもない。
【００５２】
【発明の効果】
以上説明したように、本発明によれば、相手側の機能を確認した上で、その結果に応じて適切な送信動作や課金処理を行うことができる。
【図面の簡単な説明】
【図１】第１実施形態に係るファクシミリ装置の機能ブロック図である。
【図２】カラー原稿のファクシミリ送信制御処理の流れ図である。
【図３】料金徴収処理のサブルーチンを示す流れ図である。
【図４】カラー原稿のファクシミリ受信制御処理の流れ図である。
【図５】第２実施形態に係るファクシミリ装置を含むネットワークシステム全体の概略構成図である。
【図６】第２実施形態の同報送信処理の流れ図である。
【図７】テンプレートの一例を示す図である。
【図８】ファクシミリ通信のバイナリ手順にて使用される各種信号のフレーム構成を示す図である。
【符号の説明】
１０…ファクシミリ装置、１２…回線制御部、１４…通信制御部、１６…主制御部、２４…課金部、２４Ａ…料金算出部、２４Ｂ…課金情報表示部、２４Ｃ…入出金部
【図１】
0003797117.tif 000002
【図２】
0003797117.tif 000003
【図３】
0003797117.tif 000004
【図４】
0003797117.tif 000005
【図５】
0003797117.tif 000006
【図６】
0003797117.tif 000007
【図７】
0003797117.tif 000008
【図８】
0003797117.tif 000009